(57)【要約】【課題】裁断用具を用いることなく手の軽い力だけで所望のサイズや所望の形状に切離し、切取り形成することができるマグネットシートを提供することを目的とする。【解決手段】本発明のマグネットシート１は、マグネットシート本体２と、マグネットシート本体に形成される接着剤層３と、接着剤層に積層される剥離紙４とからなり、マグネットシート１には切離用孔部としての穿孔５が複数個連続的に形成されて切離用のミシン目を為している。【選択図】  図１
2018176541.tif 000002
【特許請求の範囲】
【請求項１】
マグネットシート本体と、前記マグネットシート本体に形成される接着剤層と、前記接着剤層に積層される被覆層とからなるマグネットシートであって、前記マグネットシートには複数の切離用孔部が連続して形成されてなることを特徴とするマグネットシート。
【請求項２】
切離用孔部は、被覆層と接着剤層とマグネットシート本体を貫通してなる穿孔であることを特徴とする請求項１記載のマグネットシート。
【請求項３】
切離用孔部は、被覆層と接着剤層を貫通してなりかつマグネットシート本体中途部に至る切込溝であることを特徴とする請求項１記載のマグネットシート。
【請求項４】
切離用孔部は、マグネットシートの端部を起点に形成されてなることを特徴とする請求項１乃至３のいずれかに記載のマグネットシート。
【請求項５】
切離用孔部は、複数本略平行に形成されてなることを特徴とする請求項１乃至４のいずれかに記載のマグネットシート。
【請求項６】
切離用孔部は、複数本互いに略直交に形成されてなることを特徴とする請求項１乃至５のいずれかに記載のマグネットシート。
【請求項７】
被覆層は離型紙であることを特徴とする請求項１乃至６のいずれかに記載のマグネットシート。
【請求項８】
被覆層はカラーシートであることを特徴とする請求項１乃至６のいずれかに記載のマグネットシート。
【請求項９】
マグネットシート本体と、前記マグネットシート本体に形成される接着剤層と、前記接着剤層に積層される被覆層とからなるマグネットシートを、連続して形成された複数の穿孔刃に対峙する位置に配置し、穿孔刃を押圧してマグネットシートに切離用孔部を連続して形成することを特徴とするマグネットシートの製造方法。
【請求項１０】
シート状に形成されてなるマグネットシート本体からなるマグネットシートには複数の切離用孔部が連続して形成されてなることを特徴とするマグネットシート。
【発明の詳細な説明】
【技術分野】
【０００１】
本発明はマグネットシートに関し、特にマグネットシート本体と粘着材層と被覆層とからなるマグネットシート及びその製造方法に関する。
【背景技術】
【０００２】
本発明のマグネットシートは、ホワイトボード、パーテーション、金属壁など磁性体からなる磁着面に対して磁着することができるシート状のプラスチックマグネットである。従来、マグネットシートの片面に粘着剤層と離型紙を積層したマグネットシート（特許文献１、２）が提供されている。例えば、特許文献１所載のマグネットシートは、「粘着材及び離型シートが透明もしくは半透明で、かつ、マグネットシート本体の片面にマグネットシート本体を所定の形態に切断するための案内ガイド表示がなされている」構造であり、また、特許文献２所載の機能性シートは、「基材の上に粘着材層が形成されており、更にその上に保護の目的で離型紙が積層されているシートにおいて、離型紙の表面に施された視認可能な刻印及び/又は穿孔が寸法位置を表している」構造である。引用文献２所載の基材シートにおいて採用される刻印や穿孔は「離型紙３の表面側から押されて凹んだ形状の、線状溝Ａ及び破線状溝Ｂが刻印の一例であり、該凹みは粘着剤層２には及ぶが、基材１への影響は無い」ものである。このような粘着剤層を有するマグネットシートの一つの用途は、該マグネットシートを案内ガイド等の目印に合わせてハサミやカッターで所望の大きさに裁断することである。
【０００３】
また特許文献８所載のマグネットシートは、マグネットシートの表面に印刷面が形成されてなるものであり、該印刷面に印刷を施して磁着面に磁着する。またマグネットシートの表面に色彩や表示が施されたマグネットシートも提供されており、マグネットシート自体で棒グラフや装飾を形成し表示体を形成する等の目的に使用される。さらに、複数のピース状のマグネット片を一枚の離型紙に貼着して仕立てたマグネットピースセットも案出されている。尚、穿孔（切離用孔部）が形成された厚紙や印刷物等は各種案出されている（引用文献３乃至７）。
【０００４】
マグネットシートを、裁断する際には、裁断する寸法を図り、目印を決め、目印に合わせてハサミやカッターで裁断をする必要があり裁断には手間がかかった。とりわけマグネットシートは、ある程度の厚みと弾性を有することから紙や布等に比べ、所望の大きさや所望の形状に裁断することが難しく、ハサミやカッター等の裁断用具を用いずに切取ることは難しかった。
【先行技術文献】
【特許文献】
【０００５】
【特許文献１】特開２０１３−２２７４４３号公報
【特許文献２】特開２０１５−８５６５７号公報
【特許文献３】特開平８−１５６４５６号公報
【特許文献４】特開２００４−１８９２９４号公報
【特許文献５】特開２００６−１１３４２号公報
【特許文献６】特開２０１６−１３８３５６号公報
【特許文献７】特開２００８−３０２９０号公報
【特許文献８】特開２００４−２９０９５号公報
【発明の概要】
【発明が解決しようとする課題】
【０００６】
そこで本発明は、ハサミやカッター等の裁断用具を用いることなく、比較的軽い力で切り取ることができ、所望のサイズや所望の形状を形成することができるマグネットシートを提供することを目的とする。
【０００７】
また、マグネットシート本体、接着剤層及び離型紙からなるマグネットシートにあってはマグネットシート本体から離型紙を容易に剥がすことができるマグネットシートを提供することを目的とする。
【課題を解決するための手段】
【０００８】
本発明のマグネットシートは、マグネットシート本体と、前記マグネットシート本体に形成される接着剤層と、前記接着剤層に積層される被覆層とからなるマグネットシートであって、前記マグネットシートには複数の切離用孔部が連続して形成されてなることを特徴とする。
【０００９】
本発明の一つの形態によれば、切離用孔部は、被覆層と接着剤層とマグネットシート本体を貫通してなる穿孔であることを特徴とする。
【００１０】
本発明の他の形態によれば、切離用孔部は、被覆層と接着剤層を貫通してなりかつマグネットシート本体に刻まれてなる切込溝であることを特徴とする。
【００１１】
切離用孔部は、マグネットシートの端部を起点に形成されてなることを特徴とする。
【００１２】
切離用孔部は、複数本略平行に形成されてなることを特徴とする。
【００１３】
切離用孔部は、複数本互いに略直交に形成されてなることを特徴とする。
【００１４】
被覆層は離型紙であることを特徴とする。
【００１５】
被覆層はカラーシートであることを特徴とする。
【００１６】
本発明のマグネットシートの製造方法は、マグネットシート本体と、前記マグネットシート本体に形成される接着剤層と、前記接着剤層に積層される被覆層とからなるマグネットシートを、連続して形成された複数の穿孔刃に対峙する位置に配置し、穿孔刃を押圧してマグネットシートに切離用孔部を連続して形成することを特徴とする。
【００１７】
本発明の他の形態のマグネットシートは、シート状に形成されてなるマグネットシート本体からなるマグネットシートには複数の切離用孔部が連続して形成されてなることを特徴とする。
【発明の効果】
【００１８】
本発明に係るマグネットシートは、容易に所望の大きさや形状にマグネットシートを切離し、切取ることができる。
【図面の簡単な説明】
【００１９】
【図１】本発明の実施の形態であるマグネットシートの平面図である。
【図２】図１に示すマグネットシートを切り取った状態を示す平面図である。
【図３】図１に示すマグネットシートの斜視図である。
【図４】図１に示すマグネットシートに採用される切離用孔部の例を模式的に示すＡ−Ａ拡大断面図である。
【図５】本発明で採用される他の切離用孔部の例を模式的に示す拡大断面図である。
【図６】本発明で採用される他の切離用孔部の例を模式的に示す拡大断面図である。
【図７】本発明の他の実施の形態であるマグネットシートの斜視図である。
【発明を実施するための形態】
【００２０】
以下、図面を参照して本発明に係るマグネットシート及びマグネットシートの製造方法の実施の形態について説明する。
【００２１】
（実施例１）
本発明に係るマグネットシートの実施の形態について、図１乃至図４を参照して説明する。図３に示すようにマグネットシート１は、プラスチックマグネットをシート状に成形してなるマグネットシート本体２、マグネットシート本体２の片面に塗布或いは両面粘着テープを貼着して形成されている接着剤層３、接着剤層３の上に積層、貼着され接着剤の露出面を被覆する被覆層としての離型紙４から形成されている。マグネットシート本体２は等方性、異方性の両方を用いることができ、対象物の荷重に応じて選択される。また離型紙は接着剤の露出面に当接する面が剥離性良く滑らかに形成されたシートである。
【００２２】
図１乃至４に示すように、マグネットシート１には、マグネットシート本体２、接着剤層３、離型紙４を貫通する切離用孔部としての穿孔５が所定の孔幅、所定の間隔で連続して破線状に形成され切離し用、切取り用のミシン目を為している。本実施の形態において、穿孔５は、複数本形成されていて、矩形状のマグネットシート１の一端面に対し平行な横方向の穿孔の行５１とこれに直交する縦方向の穿孔の列５２が等間隔で形成されており、穿孔５１のラインと穿孔５２のラインで囲繞されるマス目を形成している。
【００２３】
本実施の形態の穿孔５は直線に切り込まれるスリット形状であり、この穿孔５は、マグネットシート１の端部を起点に切離端部５ａ，５ｂを形成しており、マグネットシートを切り取る時のきっかけを為している。本実施の形態においては、穿孔５の孔幅の半分の幅が切離端部５ａ，５ｂとなっている。
【００２４】
本実施の形態のマグネットシートの切離孔部は一例として１０行×３０列のラインに形成されているが、使用用途に応じて、１マス目分のマグネットシート片を切取りピース状のマグネットシート１ａを作成したり、３マス目のマグネットシート片を切取りブロック状のマグネットシート１ｂを作成したり、さらに複数のマス目のマグネットシート片を切取り帯状のマグネットシート１ｃを作成することもできる。
【００２５】
例えば、マグネットシートの大きさを１０ｃｍ×３０ｃｍ、マス目の間隔を１ｃｍ、穿孔５の間隔を１ｍｍの如く、マグネットシート自体の寸法、穿孔５の間隔、切離孔部が為すミシン目の幅を、国際規格等の所定の長さの単位に合わせて形成しておけば所望の大きさや長さのマグネットシート片が切り取りやすい。
【００２６】
本実施の形態においては、矩形状のマグネットシートに直線状に切離用の穿孔５を形成した例を示したが、マグネットシートの形状はこれに限られず任意の形状に成形可能であるし大きさも問わない。また、穿孔５を曲線状に連続して形成することも可能である。さらに、穿孔５の形状は直線のスリット形状に限られず円形、楕円形等他の形状であっても切離孔部としての機能を果たしその形状は限定されない。
【００２７】
このようなマグネットシート１によれば、マグネットシート１を、手に取って穿孔５の位置から切離し、切取ることにより容易に所望の大きさに切り取ることが可能である。また、マグネットシート本体２、接着層３、離型紙４の同位置に穿孔５が形成されていることから３層からなるマグネットシートを一体的に切離し切取ることができる。さらに、切取った部分のマグネットシートの離型紙を一体的に剥がすことができる。さらに、マグネットシートを切取るまではマグネットシート片が脱落することなくシート状態が保持される。さらに、切離し、切取ったマグネットシート片の端部にバリが残ったり、マグネットシート片に望まない切裂きが生じることがなく、美感に優れたマグネットシート片を得ることができる。さらには、離型紙が剥がれた状態或いは存在しない状態であってもマグネットシートが各ピースに分かれ脱落することはない。
【００２８】
また、切取ったマグネットシートの用途は様々である。例えば、紙、写真、状差し、ホワイトボード、ホワイトボードマーカー、イレイザー、ホワイトボードマーカーケース等の磁着面に磁着したい対象物の背面に接着すれば磁着可能な物品を提供することができる。さらに、扉と扉枠、蓋と箱に接着して扉や箱を閉状態に誘引し保持する磁着材を提供することができる。
【００２９】
（実施例２）
次に本発明の他の実施の形態にかかるマグネットシート１０について説明する。マグネットシート１０は、切離孔部の形状が実施例１に記載のマグネットシート１と異なるが、この点以外は、実施例１に示すマグネットシート１と同様のためその説明を省略する。
【００３０】
図５に示すように、本発明の他の実施の形態にかかるマグネットシート１０には、離型紙４０と接着剤層３０を貫通してなりかつマグネットシート本体２０の肉厚の中途部に至る切離孔部としての切込溝５０が複数所定の溝幅、所定の間隔で連続して形成され切離・切取用のミシン目を為している。切込溝５０は、切込角度が均等に形成されたＶ字型楔形状の凹溝である。切込溝５０はマグネットシート２０の肉厚に応じて、マグネットシート１０を手の力で容易に切離すことができる程度の中途位置まで切込み形成されている。
【００３１】
切込溝５０は、マグネットシート１０の端部を起点に形成されていて切取端部５０ｂを形成しマグネットシートを切り取る時のきっかけを為している。本実施の形態においては、切込溝５０の孔幅の半分程度の幅が切取端部５０ｂとなっている。また、本実施の形態において、切込溝５０は、矩形状のマグネットシート１０の一端面に対し平行な横方向の切込溝とこれに直交する縦方向の切込溝が複数本等間隔で形成されており、縦横のラインで囲繞されるマス目を形成している。
【００３２】
図６に示す、本発明の他の実施の形態にかかるマグネットシート１１には、離型紙４０と接着剤層３０を貫通してなりかつマグネットシート本体２０の肉厚の中途部に至る切離孔部としての切込溝５３が複数所定の溝幅、所定の間隔で連続して形成され切離・切取用のミシン目を為している。切込溝５３は直角三角形状に刻まれ一方の辺がマグネットシート１１に直角の楔形状の凹溝である。切込溝５３はマグネットシート２０の肉厚に応じて、マグネットシート１１を手の力で容易に切離すことができる程度の中途位置まで切込み形成されている。
【００３３】
切込溝５３は、マグネットシート１１の端部を起点に形成されていて切取端部５３ｂを形成しマグネットシートを切り取る時のきっかけを為している。本実施の形態においては、切込溝５３の孔幅の半分程度の幅が切取端部５３ｂとなっている。また、本実施の形態において、切込溝５３は、矩形状のマグネットシート１１の一端面に対し平行な横方向の切込溝とこれに直交する縦方向の切込溝が複数本等間隔で形成されており、縦横のラインで囲繞されるマス目を形成している。
【００３４】
本実施の形態においては、直線状に切離用の切込溝５０，５３を形成した例を示したが、切込溝５０，５３を曲線状に連続して形成することも可能である。さらに、切込溝５０，５３の形状は上記図５及び図６に示す楔形に限られるものではなく、有底の矩形状に形成された凹溝や有底の台形状に形成された凹溝等他の形状であっても切離孔部としての機能を果たしその形状は限定されない。
【００３５】
実施例２のように切離孔部が切込溝５０からなるタイプのマグネットシートは比較的肉薄のマグネットシート本体からなるマグネットシートに好適であり、マグネットシートの強度を保持しながら、手によるマグネットシートの切離し、切取りを可能とする。
【００３６】
（実施例３）
次に本発明の他の実施の形態にかかるマグネットシートについて説明する。マグネットシートは、図１乃至４に示すマグネットシート１に対して、被覆層が離型紙３ではなくカラーシート（不図示）であること以外の点は実施例１に示すマグネットシート１と同様である。
【００３７】
このタイプのマグネットシートは、プラスチックマグネットをシート状に成形してなるマグネットシート本体２、マグネットシート本体２の片面に塗布或いは両面粘着テープを貼着して形成されている接着剤層３、接着剤層３の上に積層、貼着され接着剤の露出面を被覆するカラーシートから形成されている。マグネットシートは等方性、異方性両方用いることができ、対象物の荷重に応じて選択される。
【００３８】
カラーシートは、フィルム状又はシート状のプラスチックシートであり、白色フィルムを選択した場合には印刷用のマグネットシートが提供され、表面に印刷を施すことができる。また赤、緑、黄等の有色のカラーシートを選択した場合には装飾用のマグネットシートが提供されマグネットシート自体が表示体として用いられる。尚、カラーシートの貼着手法は、接着剤の塗布や両面粘着テープで貼着する手法に限られず各種ラミネート加工等他の貼着方法も用いることができる。さらに、接着剤層を有さずカラーシートのフィルム蒸着等によりマグネットシート本体と被覆層の２層構造からなるマグネットシートにも応用することができる。
【００３９】
このマグネットシートにおいてもマグネットシート本体、接着剤層、カラーシートを貫通する切離用孔部としての穿孔または切込溝が所定の孔幅、所定の間隔で連続して形成され切離用、切取用のミシン目を為している。
【００４０】
本実施の形態のマグネットシートによれば、印刷用のマグネットシートには印刷を施した後これを切り取ってラベルを作成したり、ジグソウパズル作成することもできる。また装飾用のマグネットシートは、所望の大きさに切り取って棒グラフを作成したり、各種表示体を作成することができる。
【００４１】
（実施例４）
次に本発明の他の実施の形態にかかるマグネットシートについて説明する。図７に示すようにマグネットシート６は、シート状に形成されてなるプラスチックマグネットからなる原反のマグネットシート本体７に切離用孔部としての穿孔８が所定の孔幅、所定の間隔で連続して形成され切離・切取用のミシン目を為している。本実施の形態において、穿孔８は、矩形状のマグネットシート１の一端面に対し平行な横方向の穿孔８１とこれに直交する縦方向の穿孔８２が複数本等間隔で形成されており、穿孔８１のラインと穿孔８２のラインで囲繞されるマス目を形成している。
【００４２】
穿孔８は、マグネットシート１の端部を起点に形成されていて切取端部８ａ，８ｂを形成しマグネットシートを切り取る時のきっかけを為している。本実施の形態においては、穿孔５の孔幅の半分の幅が切取端部８ａ，８ｂとなっている。尚、穿孔８に代えてマグネットシート本体７に切取穿孔としての切込溝を形成することもできる。
【００４３】
（実施例５）
次にマグネットシートの製造方法について説明する。このマグネットシートの製造方法は、マグネットシート本体２と、マグネットシート本体２に形成される接着剤層３と、接着剤層３に積層される離型紙４とからなるマグネットシート１を、穿孔刃を有する抜型の下に配置した後、型押しし、穿孔刃により穿孔５又は切込溝５０を形成する。
【００４４】
具体的には、抜型内に複数の穿孔刃が形成されていて、複数の穿孔刃に対峙する位置にマグネットシート１を配置し、穿孔刃を押圧してマグネットシートに切離用孔部を連続して形成することで穿孔５が形成される。尚、穿孔刃の刃渡り、押圧の圧力の調節により、マグネットシート１を貫通する穿孔５又はマグネットシート本体２の肉厚の中途部まで切り込まれる切込溝５０，５３のいずれかを選択することができる。
【００４５】
これにより、マグネットシート本体、接着剤層、被覆層を有するマグネットシートにも容易かつ確実に切離孔部を形成しミシン目を作ることができる。とりわけマグネットシート本体２、接着剤層３、離型紙４からなる性質の異なる層を有するマグネットシート１に対して同位置に確実に切離孔部を形成することができる。完成品のマグネットシート１は所望の大きさのマグネットシート片を容易に切離し、切取ることが可能となる。
【００４６】
また、本実施の形態において抜型の周囲部分には穿孔刃より刃渡りの長い裁断刃が形成されているため、一度の型抜きでマグネットシート１の裁断成形と穿孔５或いは切込溝５０，５３の形成を行うことができる。
【００４７】
尚、上述のマグネットシートの製造方法は実施例３に示す被覆層がカラーシートであるマグネットシート、実施例４に示すマグネットシート本体のみからなるマグネットシートにも適用することができる。
【００４８】
本発明のマグネットシート及びマグネットシートの製造方法によれば、マグネットシートから容易かつ確実に所望の大きさのマグネットシート片を切離し、切取ることができるマグネットシートを提供することができる。
【００４９】
とりわけ、本発明のマグネットシートは、何ら裁断器具を用いることなく手の軽い力だけでマグネットシートをミシン目に沿って容易に切離し、切取ることができ、所望の大きさと形状を容易かつ確実に作ることのできるマグネットシートを提供することができる。
【符号の説明】
【００５０】
１，１０，１１  マグネットシート
２，２０  マグネットシート本体
３，３０  接着剤層
４，４０  離型紙
５    穿孔（切離用孔部）
５０  切込溝（切離用孔部）
５１  横方向の穿孔（切離用孔部）
５２  縦方向の穿孔（切離用孔部）
５３  切込溝（切離用孔部）
６  マグネットシート
７  マグネットシート本体
８  穿孔（切離用孔部）
８１  横方向の穿孔（切離用孔部）
８２  縦方向の穿孔（切離用孔部）
【図１】
2018176541.tif 000003
【図２】
2018176541.tif 000004
【図３】
2018176541.tif 000005
【図４】
2018176541.tif 000006
【図５】
2018176541.tif 000007
【図６】
2018176541.tif 000008
【図７】
2018176541.tif 000009